(57)【要約】本開示の認証システムでは、第１のサーバと第１のネットワークで接続する第１のコントローラと、第２のサーバと第２のネットワークで接続する第２のコントローラと、機器とを含む。機器は、第１のコントローラから取得した第１の証明書失効リストに含まれる次回発行日と、第２のコントローラから取得した第２の証明書失効リストに含まれる発行日とを比較することで、第１のコントローラが不正であるか否かを判断する。
2015087465.tif 000002
【特許請求の範囲】
【請求項１】
第１のサーバと第１のネットワークで接続する第１のコントローラと、第２のサーバと第２のネットワークで接続する第２のコントローラと、前記第１のコントローラおよび前記第２のコントローラと接続する機器とを含み、
前記第１のコントローラと前記機器との間、または前記第２のコントローラと前記機器との間の認証を行う家庭内の機器の認証システムにおける認証方法であって、
前記機器が、
前記第１のコントローラから第１の証明書失効リストを取得し、前記第２のコントローラから第２の証明書失効リストを取得する認証ステップを含み、
前記第１の証明書失効リストと前記第２の証明書失効リストは、前記認証システムを構成する前記第１のコントローラ、前記第２のコントローラ、および前記機器の証明書に関する失効リストであり、
前記認証ステップは、第１の証明書失効リストの次回発行日を第１の時刻情報として取得し、前記第２の証明書失効リストの発行日を第２の時刻情報として取得し、取得された前記第１の時刻情報と前記第２の時刻情報とを比較することで、前記第１のコントローラが不正であるか否かを判断する
ことを特徴とする認証方法。
【請求項２】
前記認証ステップは、前記第１の時刻情報が前記第２の時刻情報以前である場合、前記第１のコントローラが不正であると判断する
ことを特徴とする請求項１に記載の認証方法。
【請求項３】
前記認証ステップは、前記第１のコントローラが不正であると判断した場合、前記第１のコントローラとの接続を停止する
ことを特徴とする請求項１または２に記載の認証方法。
【請求項４】
前記認証ステップは、前記第１のコントローラが不正であると判断した場合、前記第２のコントローラに前記第１のコントローラが不正であると通知する
ことを特徴とする請求項１、２または３に記載の認証方法。
【請求項５】
前記第１のサーバまたは前記第２のサーバの一方が、コンテンツを配信するコンテンツサーバである請求項１〜４の何れかに記載の認証方法。
【請求項６】
前記第１のサーバまたは前記第２のサーバの他方が、電力会社のサービスサーバである請求項５に記載の認証方法。
【請求項７】
第１のサーバと第１のネットワークで接続する第１のコントローラと、第２のサーバと第２のネットワークで接続する第２のコントローラと、前記第１のコントローラおよび前記第２のコントローラと接続する機器とを含み、
前記第１のコントローラと前記機器との間、または前記第２のコントローラと前記機器との間の認証を行う家庭内の機器の認証システムであって、
前記機器は、
前記第１のコントローラから第１の証明書失効リストを取得し、前記第２のコントローラから第２の証明書失効リストを取得する認証部を備え、
前記第１の証明書失効リストと前記第２の証明書失効リストは、前記認証システムを構成する前記第１のコントローラ、前記第２のコントローラ、および前記機器の証明書に関する失効リストであり、
前記認証部は、第１の証明書失効リストの次回発行日を第１の時刻情報として取得し、前記第２の証明書失効リストの発行日を第２の時刻情報として取得し、取得された前記第１の時刻情報と前記第２の時刻情報とを比較することで、前記第１のコントローラが不正であるか否かを判断する
ことを特徴とする認証システム。
【発明の詳細な説明】
【技術分野】
【０００１】
本開示は、安全に機器とコントローラを接続することを可能とする認証システムに関する。
【背景技術】
【０００２】
近年、家庭内の家電やＡＶ機器がネットワークに接続し、そこからクラウドに収集される各種履歴情報を用いたサービスが期待されている。このとき、家庭内にコントローラを設置し、家電機器からメーカサーバへの履歴情報の送信はコントローラが中継して行う。このコントローラと家電機器の接続を安全に設定することで、家庭内の通信を制御し、無線通信における情報の漏洩やなりすましによる家庭内のネットワークへの接続を防止する。【０００３】
このため、従来、Ｗｉ−Ｆｉアライアンスでは、Ｗｉ−Ｆｉ  Ｐｒｏｔｅｃｔｅｄ  Ｓｅｔｕｐとよばれる機器間の接続を容易に行えるようにするための規格を策定している（非特許文献１）。しかしながら、Ｗｉ−Ｆｉの無線接続では、コントローラに相当するアクセスポイントの機器と家電機器間において、機器の相互接続性を保証しているだけであり、接続相手が正当な機器であるかは認証しない。【０００４】
従来、機器の正当性を認証するために、公開鍵認証基盤（ＰＫＩ：Ｐｕｂｌｉｃ  Ｋｅｙ  Ｉｎｆｒａｓｔｒｕｃｔｕｒｅ）を用いることが知られている（非特許文献２）。ＰＫＩに基づく認証は、エンティティ（家電機器やコントローラ）が秘密鍵と認証局から発行された公開鍵証明書を持っていることを認証することで機器の正当性を保証する。公開鍵証明書は秘密鍵の漏洩などが発生すると、公開鍵証明書を使った不正を防止するために、公開鍵証明書の失効が必要となる。公開鍵証明書の失効の手段としては証明書の失効リストであるＣＲＬ（Ｃｅｒｔｉｆｉｃａｔｅ  Ｒｅｖｏｃａｔｉｏｎ  Ｌｉｓｔ）が代表される（非特許文献２）。ＣＲＬとは失効した公開鍵証明書のリストであり、失効した公開鍵証明書のＩＤなどに、公開鍵証明書を発行した認証局が署名をつけて配布する。家電機器やコントローラのエンティティは、接続する他のエンティティの公開鍵証明書がＣＲＬに記載されていないかを検証する。そのため、ＣＲＬは最新のＣＲＬを用いる必要がある。
【先行技術文献】
【非特許文献】
【０００５】
【非特許文献１】Ｗｉ−Ｆｉ  Ａｌｌｉａｎｃｅ、“Ｗｉ−Ｆｉ  ＣＥＲＴＩＦＩＥＤ  Ｗｉ−Ｆｉ  Ｐｒｏｔｅｃｔｅｄ  Ｓｅｔｕｐ：  Ｅａｓｉｎｇ  ｔｈｅ  Ｕｓｅｒ  Ｅｘｐｅｒｉｅｎｃｅ  ｆｏｒ  Ｈｏｍｅ  ａｎｄ  Ｓｍａｌｌ  Ｏｆｆｉｃｅ  Ｗｉ−ＦｉＲ  Ｎｅｔｗｏｒｋｓ  （２０１０）”、［ｏｎｌｉｎｅ］、２０１０年１２月、［２０１４年６月２４日検索］、インターネット＜ＵＲＬ：ｈｔｔｐ：／／ｗｗｗ．ｗｉ−ｆｉ．ｏｒｇ／ｊａ／ｆｉｌｅ／ｗｉ−ｆｉ−ｃｅｒｔｉｆｉｅｄ−ｗｉ−ｆｉ−ｐｒｏｔｅｃｔｅｄ−ｓｅｔｕｐ％Ｅ２％８４％Ａ２−ｅａｓｉｎｇ−ｔｈｅ−ｕｓｅｒ−ｅｘｐｅｒｉｅｎｃｅ−ｆｏｒ−ｈｏｍｅ−ａｎｄ−ｓｍａｌｌ−ｏｆｆｉｃｅ−ｗｉ＞
【非特許文献２】宮地充子／菊池浩明編著、「ＩＴ  Ｔｅｘｔ  情報セキュリティ」、オーム社、２００３年１０月
【非特許文献３】Ｎａｔｉｏｎａｌ  Ｓｅｃｕｒｉｔｙ  Ａｇｅｎｃｙ、“Ｓｕｉｔｅ  Ｂ  Ｉｍｐｌｅｍｅｎｔｅｒ‘ｓ  Ｇｕｉｄｅ  ｔｏ  ＦＩＰＳ  １８６−３  （ＥＣＤＳＡ）”、［ｏｎｌｉｎｅ］、２０１０年２月３日、［２０１４年６月２４日検索］、インターネット＜ＵＲＬ：ｈｔｔｐ：／／ｗｗｗ．ｎｓａ．ｇｏｖ／ｉａ／＿ｆｉｌｅｓ／ｅｃｄｓａ．ｐｄｆ
【非特許文献４】Ｅｌａｉｎｅ  Ｂａｒｋｅｒ、他３名、ＮＩＳＴ  Ｓｐｅｃｉａｌ  Ｐｕｂｌｉｃａｔｉｏｎ  ８００−５６Ａ  Ｒｅｖｉｓｉｏｎ２、“Ｒｅｃｏｍｍｅｎｄａｔｉｏｎ  ｆｏｒ  Ｐａｉｒ−Ｗｉｓｅ  Ｋｅｙ−Ｅｓｔａｂｌｉｓｈｍｅｎｔ  Ｓｃｈｅｍｅｓ  Ｕｓｉｎｇ  Ｄｉｓｃｒｅｔｅ  Ｌｏｇａｒｉｔｈｍ  Ｃｒｙｐｔｏｇｒａｐｈｙ”、［ｏｎｌｉｎｅ］、２０１３年５月１３日、Ｎａｔｉｏｎａｌ  Ｉｎｓｔｉｔｕｔｅ  ｏｆ  Ｓｔａｎｄａｒｄｓ  ａｎｄ  Ｔｅｃｈｎｏｌｏｇｙ、［２０１４年６月２４日検索］、インターネット＜ＵＲＬ：ｈｔｔｐ：／／ｎｖｌｐｕｂｓ．ｎｉｓｔ．ｇｏｖ／ｎｉｓｔｐｕｂｓ／ＳｐｅｃｉａｌＰｕｂｌｉｃａｔｉｏｎｓ／ＮＩＳＴ．ＳＰ．８００−５６Ａｒ２．ｐｄｆ＞
【非特許文献５】Ｄ．Ｆｏｒｓｂｅｒｇ、他４名、ＲＦＣ５１９１、“Ｐｒｏｔｏｃｏｌ  ｆｏｒ  Ｃａｒｒｙｉｎｇ  Ａｕｔｈｅｎｔｉｃａｔｉｏｎ  ｆｏｒ  Ｎｅｔｗｏｒｋ  Ａｃｃｅｓｓ  （ＰＡＮＡ）”、［ｏｎｌｉｎｅ］、２００８年５月、Ｉｎｔｅｒｎｅｔ  Ｅｎｇｉｎｅｅｒｉｎｇ  Ｔａｓｋ  Ｆｏｒｃｅ、［２０１４年６月２４日検索］、インターネット＜ＵＲＬ：ｈｔｔｐ：／／ｗｗｗ．ｒｆｃ−ｅｄｉｔｏｒ．ｏｒｇ／ｒｆｃ／ｐｄｆｒｆｃ／ｒｆｃ５１９１．ｔｘｔ．ｐｄｆ＞
【発明の概要】
【発明が解決しようとする課題】
【０００６】
上記、従来の認証システムでは更なる改善が必要とされていた。
【課題を解決するための手段】
【０００７】
上記目的を達成するために、本開示の一態様に係る認証システムは、第１のサーバと第１のネットワークで接続する第１のコントローラと、第２のサーバと第２のネットワークで接続する第２のコントローラと、第１のコントローラおよび第２のコントローラと接続する機器を含み、第１のコントローラと機器との間、または第２のコントローラと機器との間の認証を行う家庭内の機器の認証システムであって、機器は、第１のコントローラから第１の証明書失効リストを取得し、第２のコントローラから第２の証明書失効リストを取得する認証部を備え、前記第１の証明書失効リストと前記第２の証明書失効リストは、前記認証システムを構成する前記第１のコントローラ、前記第２のコントローラ、および前記機器の証明書に関する失効リストであり、認証部は、第１の証明書失効リストの次回発行日を第１の時刻情報として取得し、第２の証明書失効リストから発行日を第２の時刻情報として取得し、取得された第１の時刻情報と第２の時刻情報とを比較することで、第１のコントローラが不正であるか否かを判断する。【０００８】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【０００９】
本開示によれば、認証システムの更なる改善を実現できる。
【図面の簡単な説明】
【００１０】
【図１】実施の形態１における認証システムの全体構成図である。
【図２】実施の形態１におけるコントローラの構成図である。
【図３】実施の形態１におけるコントローラの接続機器管理テーブルの一例を示す図である。
【図４】実施の形態１における公開鍵証明書の一例を示す図である。
【図５】実施の形態１におけるＣＲＬの一例を示す図である。
【図６】実施の形態１における機器の構成図である。
【図７】実施の形態１における機器の接続コントローラ管理テーブルの一例を示す図である。
【図８】実施の形態１におけるメーカサーバの構成図である。
【図９】実施の形態１におけるメーカサーバの機器情報管理テーブルの一例を示す図である。
【図１０】実施の形態１におけるポータルサーバの構成図である。
【図１１】実施の形態１における機器登録時のシーケンス図である。
【図１２】実施の形態１における機器登録時のシーケンス図である。
【図１３】実施の形態１におけるメーカサーバのＣＲＬ更新時のシーケンス図である。
【図１４】実施の形態１における機器のＣＲＬ更新時のシーケンス図である。
【図１５】実施の形態１における機器のＣＲＬ更新時のシーケンス図である。
【図１６】実施の形態１における機器のＣＲＬ更新時のシーケンス図である。
【図１７】実施の形態２における機器登録時のシーケンス図である。
【図１８】実施の形態２における機器登録時のシーケンス図である。
【図１９】実施の形態２における機器登録時のシーケンス図である。
【図２０】実施の形態２における機器の接続コントローラ管理テーブルの一例を示す図である。
【図２１】実施の形態２におけるコントローラの接続機器管理テーブルの一例を示す図である。
【図２２】実施の形態２における機器履歴情報の送信処理時のシーケンス図である。
【発明を実施するための形態】
【００１１】
（本開示の基礎となった知見）
家電機器が一つのコントローラとのみ接続する場合、家電機器はＣＲＬをコントローラ経由で取得する。このとき、コントローラが不正機器であった場合、公開鍵証明書がＣＲＬに記載されていても、コントローラがコントローラの公開鍵証明書が記載されているＣＲＬを家電機器に配布しない限り、家電機器はコントローラを正当な機器として認証してしまう。
【００１２】
以上の考察に基づき、本発明者らは本開示の各態様を想到するに至った。
【００１３】
本開示の一実施態様の認証システムは、第１のサーバと第１のネットワークで接続する第１のコントローラと、第２のサーバと第２のネットワークで接続する第２のコントローラと、第１のコントローラおよび第２のコントローラと接続する機器とを含み、第１のコントローラと機器との間、または第２のコントローラと機器との間の認証を行う家庭内の機器の認証システムであって、機器は、第１のコントローラから第１の証明書失効リストを取得し、第２のコントローラから第２の証明書失効リストを取得する認証部を備え、前記第１の証明書失効リストと前記第２の証明書失効リストは、前記認証システムを構成する前記第１のコントローラ、前記第２のコントローラ、および前記機器の証明書に関する失効リストであり、認証部は、第１の証明書失効リストの次回発行日を第１の時刻情報として取得し、第２の証明書失効リストから発行日を第２の時刻情報として取得し、取得された第１の時刻情報と第２の時刻情報とを比較することで、第１のコントローラが不正であるか否かを判断することを特徴とする。
【００１４】
これにより、１つのコントローラと接続する機器は、当該コントローラが不正コントローラの場合、ＣＲＬが更新できなかったが、複数のネットワークを経由してＣＲＬを取得し、更新ができる。ＣＲＬを更新可能とすることで、不正なコントローラとの接続を防止でき、正規のコントローラと機器間で安全に接続することができる。
【００１５】
さらに、本開示の一実施態様の認証システムにおける認証部は、第１の時刻情報が第２の時刻情報以前である場合、第１のコントローラが不正であると判断することを特徴とする。
【００１６】
さらに、本開示の一実施態様の認証システムにおける認証部は、第１のコントローラが不正であると判断した場合、第１のコントローラとの接続を停止することを特徴とする。
【００１７】
さらに、本開示の一実施態様の認証システムにおける認証部は、第１のコントローラが不正であると判断した場合、第２のコントローラに第１のコントローラが不正であると通知することを特徴とする。
【００１８】
さらに、本開示の一実施態様の認証システムは、第１のサーバまたは第２のサーバの一方が、コンテンツを配信するコンテンツサーバであることを特徴とする。
【００１９】
さらに、本開示の一実施態様の認証システムは、第１のサーバまたは第２のサーバの他方が、電力会社のサービスサーバであることを特徴とする。
【００２０】
以下、図面を参照しながら、本開示の実施の形態に係る認証システムについて説明する。なお、以下で説明する実施の形態は、いずれも本開示の好ましい一具体例を示す。つまり、以下の実施の形態で示される数値、形状、材料、構成要素、構成要素の配置および接続形態、ステップ、ステップの順序などは、本開示の一例であり、本開示を限定する主旨ではない。本開示は、請求の範囲の記載に基づいて特定される。したがって、以下の実施の形態における構成要素のうち、本開示の最上位概念を示す独立請求項に記載されていない構成要素は、本開示の課題を達成するために必ずしも必要ではないが、より好ましい形態を構成する構成要素として説明される。
【００２１】
（実施の形態１）
１．システムの構成
ここでは、本開示の実施の形態として、本開示に関わる認証システム１０について図面を参照しながら説明する。
【００２２】
１．１認証システム１０の全体構成
図１は、本開示に係る認証システム１０の全体構成を示す図である。認証システム１０は、コントローラ１００、機器２００、サーバ３００、ポータルサーバ４００から構成される。コントローラ１００ａ〜ｂは、機器を制御する機能を持った機器である。また、コントローラ１００ａ〜ｂは、サーバと接続し、サーバへ家電履歴の情報の送信や、サーバから制御依頼を受信し、家電機器を制御するなどの機能を持つ。機器２００ａ〜ｃは、テレビやレコーダー、エアコン、冷蔵庫、蓄電池など、機器履歴情報を収集する家電機器や住宅設備機器である。サーバ３００ａ〜ｃはコンテンツを配信するコンテンツサーバや家電機器を製造するメーカサーバ、サービスを提供するサービスプロバイダのサービスサーバである。具体的な一例として、家庭内の機器の履歴情報がコントローラに送信され、コントローラは機器の履歴情報をメーカサーバに送信する。また、サービスサーバが電力会社としたとき、電力会社から家庭のスマートメータ（図示しない）を経由してコントローラに接続する。コントローラは電力会社からの電力情報を基に、家庭内の機器を制御し、家庭内の電力消費を抑える。
【００２３】
１．２コントローラ１００の構成
図２は、コントローラ１００ａの構成図である。コントローラ１００ａは、機器管理部１０１、機器情報保持部１０２、認証処理部１０３、認証情報保持部１０４、通信部１０５から構成される。コントローラ１００ｂも同様の構成である。
【００２４】
機器管理部１０１は、コントローラに接続される機器を管理する。機器からの接続依頼があった場合、機器管理部１０１は、機器から受信した公開鍵証明書を認証処理部１０３に送信し、認証処理を依頼する。機器管理部１０１は、認証処理部１０３から認証結果を受信する。認証成功の場合、機器管理部１０１は、機器情報保持部１０２で保持する接続機器管理テーブルに機器ＩＤと証明書のＩＤを登録する。
【００２５】
機器情報保持部１０２は、コントローラに接続する機器の情報を管理する。図３は機器情報保持部１０２がもつ機器情報管理テーブルの一例を示した図である。機器情報管理テーブルは機器ＩＤと、機器がもつ公開鍵証明書の証明書ＩＤを記録する。
【００２６】
認証処理部１０３は、機器との認証処理を行う。また、認証処理部１０３は、機器管理部１０１から機器の公開鍵証明書とともに認証依頼を受けると、認証情報保持部１０４に記録されているＣＲＬを取得し、機器の公開鍵証明書の証明書ＩＤがＣＲＬに記載されているかを検証する。また、認証処理部１０３は、公開鍵証明書の署名を認証局であるポータルサーバの公開鍵（図示しない）を用いて検証する。また、認証処理部１０３は、乱数を生成し、機器に乱数を送信する。認証処理部１０３は、機器から受信した乱数の署名を検証する。いずれの検証においても失敗した場合、認証処理部１０３は、機器が不正機器であると判断する。
【００２７】
認証情報保持部１０４は、秘密鍵と公開鍵証明書の鍵ペアやＣＲＬを持つ。秘密鍵と公開鍵証明書やＣＲＬは、出荷時に認証情報保持部１０４に埋め込まれる。図４は公開鍵証明書の構成の一例を示す図である。公開鍵証明書は、バージョン、発行者、有効期間の開始と終了、証明書ＩＤ、認証局であるポータルサーバの署名から構成される。図５はＣＲＬの構成の一例を示す図である。ＣＲＬは、ＣＲＬバージョン、発行者、発行日、次回発行日、失効した証明書ＩＤ、認証局であるポータルサーバの署名から構成される。ここで証明書ＩＤは一つに限定するわけではなく、複数の証明書ＩＤがあってもよい。
【００２８】
通信部１０５は、機器２００やメーカサーバ３００ａやサービスサーバ３００ｂとの通信を行う。通信部１０５は、サーバとの通信ではＳＳＬ（Ｓｅｃｕｒｅ  Ｓｏｃｋｅｔ  Ｌａｙｅｒ）通信を行う。ＳＳＬ通信に必要な証明書は通信部１０５で記録する。
【００２９】
１．３機器２００の構成
図６は、機器２００の構成図である。機器２００は、機器管理部２０１、機器履歴保持部２０２、機器情報保持部２０３、認証処理部２０４、認証情報保持部２０５、通信部２０６から構成される。
【００３０】
機器管理部２０１は、起動時に、コントローラ１００に接続依頼を送信する。コントローラと接続せずに、コンテンツサーバ３００ｃと接続する場合には、通信部２０６は、コンテンツサーバ３００ｃとの間でＳＳＬ通信を実行する。機器管理部２０１は、コントローラから公開鍵証明書を受信すると、認証処理部２０４に認証依頼を送信する。機器管理部２０１は、認証処理部２０４から認証結果を受信する。認証成功の場合、機器管理部２０１は、機器情報保持部２０３で保持する接続コントローラ管理テーブルにコントローラＩＤと証明書のＩＤを登録する。また、機器管理部２０１は、機器履歴保持部２０２で記録している機器履歴を、定期的または非定期に、コントローラ経由でサーバへ送信する。なお、コンテンツサーバと直接接続している場合は、コントローラを経由せずにサーバへ送信する。
【００３１】
機器履歴保持部２０２は、機器の動作履歴を取得し、記録する。
【００３２】
機器情報保持部２０３は、機器に接続するコントローラ１００の情報を管理する。図７は機器情報保持部２０３がもつ接続コントローラ管理テーブルの一例を示した図である。接続コントローラ管理テーブルはコントローラＩＤと、コントローラがもつ公開鍵証明書の証明書ＩＤを記録する。
【００３３】
認証処理部２０４は、コントローラとの認証処理を行う。また、認証処理部２０４は、機器管理部２０１から公開鍵証明書とともに認証依頼を受けると、認証情報保持部２０５に記録されているＣＲＬを取得し、コントローラの公開鍵証明書の証明書ＩＤがＣＲＬに記載されているかを検証する。また、認証処理部２０４は、公開鍵証明書の署名を認証局であるポータルサーバの公開鍵（図示しない）を用いて検証する。また、認証処理部２０４は、乱数を生成し、コントローラに乱数を送信する。認証処理部２０４は、コントローラから受信した乱数の署名を検証する。いずれの検証においても失敗した場合、認証処理部２０４は、コントローラが不正機器であると判断する。
【００３４】
認証情報保持部２０５は、秘密鍵と公開鍵証明書の鍵ペアやＣＲＬを持つ。秘密鍵と公開鍵証明書の鍵ペアやＣＲＬは、機器の出荷時に認証情報保持部２０５に埋め込まれる。公開鍵証明書やＣＲＬはコントローラが持つ公開鍵証明書やＣＲＬと同じ構成であるのでここでの説明は省略する。
【００３５】
通信部２０６は、コントローラ１００やコンテンツサーバ３００との通信を行う。通信部２０６は、コンテンツサーバとの通信ではＳＳＬ（Ｓｅｃｕｒｅ  Ｓｏｃｋｅｔ  Ｌａｙｅｒ）通信を行う。ＳＳＬ通信に必要な証明書は通信部２０６で記録する。
【００３６】
１．４メーカサーバ３００ａの構成
図８は、メーカサーバ３００ａの構成図である。メーカサーバ３００ａは、機器情報管理部３０１、機器情報保持部３０２、ＣＲＬ管理部３０３、ＣＲＬ保持部３０４、通信部３０５から構成される。サービスサーバ３００ｂも同様の構成である。
【００３７】
機器情報管理部３０１は、機器情報保持部３０２を制御し、コントローラと機器の紐付けや接続するコントローラや機器のＩＤや証明書ＩＤ、機器の履歴を管理する。また、機器情報管理部３０１は、機器やコントローラの不正を検出した場合、当該機器やコントローラの証明書ＩＤをポータルサーバに通知し、ＣＲＬの発行依頼を行う。機器情報管理部３０１は、ＣＲＬを更新した場合、ＣＲＬ管理部３０３にＣＲＬを送信する。
【００３８】
機器情報保持部３０２は、コントローラや機器のＩＤや証明書のＩＤ、機器の履歴を記録する。図９は、機器情報管理テーブルの一例を示した図である。コントローラのＩＤであるコントローラＩＤ１には機器ＩＤ１から機器ＩＤ３の機器が接続していることを表している。また、コントローラの証明書ＩＤと機器の証明書ＩＤも記録している。機器ＩＤ１の履歴情報は履歴情報１に記録されていることを表している。
【００３９】
ＣＲＬ管理部３０３は、ＣＲＬ保持部３０４を制御し、機器情報管理部３０１からＣＲＬを受信した場合、ＣＲＬ保持部３０４のＣＲＬを更新する。
【００４０】
ＣＲＬ保持部３０４は、ＣＲＬを記録する。
【００４１】
通信部３０５は、コントローラ１００ａおよびポータルサーバ４００との通信を行う。コントローラ１００ａやポータルサーバ４００との通信ではＳＳＬ通信を行う。ＳＳＬ通信に必要な証明書は通信部３０５で記録する。
【００４２】
コンテンツサーバ３００ｃの構成はメーカサーバ３００ａとの構成と異なる。コントローラを経由せずに機器と接続するため、コンテンツサーバ３００ｃと機器間でＳＳＬ認証を実施する。また、機器情報保持部３０２の機器情報管理テーブルはコントローラの情報がない機器情報管理テーブルとなる。
【００４３】
１．５ポータルサーバ４００の構成
図１０は、ポータルサーバ４００の構成図である。ポータルサーバ４００は、ＣＲＬ管理部４０１、ＣＲＬ保持部４０２、暗号処理部４０３、暗号鍵保持部４０４、通信部４０５から構成される。
【００４４】
ＣＲＬ管理部４０１は、ＣＲＬ保持部４０２を制御し、ＣＲＬを管理する。ＣＲＬ管理部４０１は、メーカサーバやサービスサーバなどからＣＲＬの発行依頼を受信すると、ＣＲＬの署名以外のデータを設定し、暗号処理部４０３にＣＲＬの署名生成を依頼する。ＣＲＬ管理部４０１は、暗号処理部４０３から署名生成したＣＲＬを受信し、ＣＲＬ保持部４０２に記録する。
【００４５】
ＣＲＬ保持部４０２は、発行したＣＲＬを記録する。
【００４６】
暗号処理部４０３は、ＣＲＬ管理部４０１から署名生成の依頼を受信すると、暗号鍵保持部４０４に保持する秘密鍵を用いて、ＣＲＬの署名を生成する。暗号処理部４０３は、ＣＲＬの署名を生成すると、ＣＲＬ管理部４０１へ送信する。
【００４７】
暗号鍵保持部４０４は、認証局となるポータルサーバのＣＲＬ発行用の秘密鍵を保持する。
【００４８】
通信部４０５は、各サーバ３００ａ〜ｃとの通信を行う。各サーバ３００ａ〜ｃとの通信ではＳＳＬ通信を行う。ＳＳＬ通信に必要な証明書は通信部４０５で記録する。
【００４９】
１．６認証システム１０の動作
認証システム１０の動作には、以下のものがある。
【００５０】
（１）機器からコントローラに接続し、サーバへ登録する機器登録処理
（２）メーカサーバのＣＲＬ更新する処理
（３）機器のＣＲＬを更新する処理
以下、それぞれについて図を用いて説明する。
【００５１】
１．６．１機器登録処理時の動作
図１１から図１２は機器ＣがコントローラＡに接続し、メーカサーバへ登録する処理のシーケンスを示す。機器Ａや機器ＢがコントローラＡに接続し、メーカサーバへ登録する処理や、機器ＣがコントローラＢに接続し、サービスサーバに登録する処理も同様である。
【００５２】
（Ｓ１０１）機器ＣからコントローラＡに対し、接続要求を実施する。このとき機器の機器ＩＤ、公開鍵証明書も合わせて送信する。
【００５３】
（Ｓ１０２）コントローラＡが接続要求を受信した機器Ｃの公開鍵証明書の証明書ＩＤが認証情報保持部で保持するＣＲＬに記載されているかを検証する。ＣＲＬに記載されている場合、機器Ｃへエラーを通知して処理を終了する。
【００５４】
（Ｓ１０３）コントローラＡは機器Ｃから受信した公開鍵証明書の署名を検証する。検証が成功しない場合、機器Ｃへエラーを通知して処理を終了する。このときの署名はＥＣＤＳＡ（Ｅｌｌｉｐｔｉｃ  Ｃｕｒｖｅ  Ｄｉｇｉｔａｌ  Ｓｉｇｎａｔｕｒｅ  Ａｌｇｏｒｉｔｈｍ）であってもよい。ＥＣＤＳＡについては、非特許文献３に記載されているためここでは述べない。
【００５５】
（Ｓ１０４）コントローラＡは乱数を生成し、コントローラＩＤと公開鍵証明書とともに機器Ｃへ送信する。
【００５６】
（Ｓ１０５）機器Ｃは接続要求を送信したコントローラＡの公開鍵証明書の証明書ＩＤが保持するＣＲＬに記載されているかを検証する。ＣＲＬに記載されている場合、コントローラＡへエラーを通知して処理を終了する。
【００５７】
（Ｓ１０６）機器ＣはコントローラＡから受信した公開鍵証明書の署名を検証する。検証が失敗した場合、コントローラＡへエラーを通知して処理を終了する。
【００５８】
（Ｓ１０７）機器ＣはコントローラＡから受信した乱数と機器Ｃの秘密鍵から署名を生成する。
【００５９】
（Ｓ１０８）機器Ｃは乱数を生成し、Ｓ１０７で生成した署名とともにコントローラＡへ送信する。
【００６０】
（Ｓ１０９）コントローラＡは署名と乱数を受信し、Ｓ１０１で受信した公開鍵証明書を用いて署名の検証を行う。署名の検証が成功しない場合、機器Ｃへエラーを通知して処理を終了する。
【００６１】
（Ｓ１１０）コントローラＡはＳ１０９で受信した乱数とコントローラＡ秘密鍵から署名を生成し、署名を機器Ａへ送信する。
【００６２】
（Ｓ１１１）機器Ｃは署名を受信し、Ｓ１０４で受信した公開鍵証明書を用いて署名の検証を行う。署名の検証が成功しない場合、コントローラＡへエラーを通知して処理を終了する。
【００６３】
（Ｓ１１２）機器ＣはＳ１１１で検証が成功した場合、コントローラを接続コントローラ管理テーブルに登録する。
【００６４】
（Ｓ１１３）コントローラＡはコントローラＩＤと証明書ＩＤ、Ｓ１０９で検証が成功した機器の機器ＩＤと証明書ＩＤをメーカサーバに送信し、機器の機器ＩＤと証明書ＩＤを接続機器管理テーブルに登録する。
【００６５】
（Ｓ１１４）メーカサーバはコントローラＡからコントローラＡのコントローラＩＤと証明書ＩＤ、機器Ｃの機器ＩＤと証明書ＩＤを受信すると、機器情報管理テーブルに登録する。
【００６６】
１．６．２メーカサーバのＣＲＬ更新する処理時の動作
図１３に、メーカサーバのＣＲＬを更新するシーケンスを示す。
【００６７】
（Ｓ１２１）メーカサーバは不正機器を検出する。具体的な一例として、同じ証明書ＩＤの複数のコントローラがメーカサーバに接続していることを検出した場合や、同じ証明書ＩＤの複数の機器がメーカサーバに登録されたことを検出した場合などである。また、秘密鍵が漏えいしたと検出できた場合も対応する公開鍵証明書を保持する機器やコントローラを不正機器と判断する。
【００６８】
（Ｓ１２２）メーカサーバはＣＲＬに記載の証明書ＩＤにＳ２０１で検出した不正機器や不正コントローラの証明書ＩＤを追加する。
【００６９】
（Ｓ１２３）メーカサーバは不正機器や不正コントローラのすべての証明書ＩＤとともにＣＲＬ発行依頼を認証局であるポータルサーバに送信する。
【００７０】
（Ｓ１２４）ポータルサーバは受信した証明書ＩＤからＣＲＬを発行する。
【００７１】
（Ｓ１２５）ポータルサーバはＣＲＬをメーカサーバへ送信する。
【００７２】
（Ｓ１２６）メーカサーバは受信したＣＲＬをＣＲＬ保持部に記録し、最新のＣＲＬに更新する。
【００７３】
上記はメーカサーバのＣＲＬを更新する処理を一例としているが、サービスサーバやコンテンツサーバが保持するＣＲＬを更新する処理も同様の処理である。
【００７４】
また、メーカサーバはＳ１２１で不正機器を検出しなくとも、次回発行日前にＣＲＬを更新する。
【００７５】
１．６．３機器のＣＲＬを更新する処理時の動作
図１４から図１５に、機器ＣのＣＲＬをコントローラＢから更新するシーケンスを示す。コントローラＢから機器ＣのＣＲＬを更新する処理を一例として説明するが、コントローラＡから機器ＣのＣＲＬを更新する処理も同様の処理である。
【００７６】
（Ｓ１３１）サービスサーバはＣＲＬを更新後、コントローラＢにＣＲＬとともにＣＲＬの更新処理を依頼する。
【００７７】
（Ｓ１３２）コントローラＢはサービスサーバから受信したＣＲＬへ更新する。
【００７８】
（Ｓ１３３）コントローラＢは接続する機器がＣＲＬに記載されているかを検証する。記載されている場合、サービスサーバに通知し、記載されている機器の登録を削除する。
【００７９】
（Ｓ１３４）コントローラＢは接続するすべての機器にＣＲＬとともにＣＲＬの更新処理を依頼する。ここでは機器Ｃに更新処理を依頼した例を基に説明する。
【００８０】
（Ｓ１３５）機器Ｃは受信したＣＲＬの署名を検証する。検証が成功しない場合、ＣＲＬの更新処理を終了する。
【００８１】
（Ｓ１３６）機器Ｃは接続するすべてのコントローラがＣＲＬに記載されているかを検証する。接続するコントローラが１つでも記載されている場合、他の機器やコントローラに不正コントローラの検出を通知する。また、接続コントローラ管理テーブルの当該不正コントローラの登録を削除する。
【００８２】
（Ｓ１３７）機器ＣはコントローラＢから受信したＣＲＬと認証情報保持部のＣＲＬとを比較し、矛盾があるかの検証を行う。具体的には、コントローラＡから受信したＣＲＬが記録されている場合、コントローラＢから受信したＣＲＬの発行日と、コントローラＡから受信していたＣＲＬの次回発行日を比較する。コントローラＡから受信していたＣＲＬの次回発行日がコントローラＢから受信したＣＲＬの発行日より以前の場合、コントローラＡから受信していたＣＲＬの次回発行日が過ぎていると判断し、コントローラＡがＣＲＬを更新しなかったとして、不正なコントローラとして検出する。また、コントローラＡとコントローラＢから受信したＣＲＬのバージョンを比較し、ＣＲＬのバージョンが一致しない場合、ＣＲＬのバージョンが古いＣＲＬを送信したコントローラがＣＲＬを更新しなかったとして、不正なコントローラとして検出する。このとき、機器Ｃは他の機器やコントローラに不正コントローラの検出を通知する。また、接続コントローラ管理テーブルの当該不正コントローラの登録を削除する。また、コントローラＡとの接続を遮断する。
【００８３】
（Ｓ１３８）機器Ｃは受信したＣＲＬを認証情報保持部に記録する。
【００８４】
図１６に、機器ＣのＣＲＬをコンテンツサーバから更新するシーケンスを示す。
【００８５】
（Ｓ１４１）コンテンツサーバはＣＲＬを更新後、機器ＡにＣＲＬとともにＣＲＬの更新処理を依頼する。
【００８６】
（Ｓ１４２）機器Ｃは接続するすべてのコントローラがＣＲＬに記載されているかを検証する。接続するコントローラが１つでも記載されている場合、他の機器やコントローラ、コンテンツサーバに不正コントローラの検出を通知する。また、接続コントローラ管理テーブルの当該不正コントローラの登録を削除する。
【００８７】
（Ｓ１４３）はＳ１３７の処理と同様のため省略する。
【００８８】
（Ｓ１４４）はＳ１３８の処理と同様のため省略する。
【００８９】
１．７実施の形態１の効果
１つのコントローラと接続する機器は、当該コントローラが不正コントローラの場合、ＣＲＬが更新できなかった。実施の形態１では、機器が複数のコントローラからＣＲＬを受信している。これにより、複数のネットワークを経由してＣＲＬを取得し、更新ができる。ＣＲＬを更新可能とすることで、不正なコントローラとの接続を防止でき、正規のコントローラと機器間で安全に接続することができる。
【００９０】
（実施の形態２）
２．システムの構成
ここでは、本開示の実施の形態として、本開示に関わる認証システム１１について図面を参照しながら説明する。
【００９１】
実施の形態２における認証システム１１では、コントローラと機器間で認証後、通信用の暗号鍵を共有し、暗号通信で機器の履歴情報をサーバへ送信する。
【００９２】
２．１認証システム１１の全体構成
実施の形態２の認証システム１１の全体構成は実施の形態１と同様であるため、ここでは省略する。実施の形態１と同様の機能を有する構成要素は、同じ符号を付して説明を省略する。
【００９３】
２．２認証システム１１の動作
認証システム１１の動作には、以下のものがある。
【００９４】
（１）機器からコントローラに接続し、サーバへ登録する機器登録処理
（２）メーカサーバのＣＲＬ更新する処理
（３）機器のＣＲＬを更新する処理
（４）機器からサーバへ機器履歴情報を送信する処理
（２）、（３）の処理は実施の形態１と同様のため、ここでの説明を省略する。
【００９５】
以下、それぞれについて図を用いて説明する。
【００９６】
２．２．１機器登録処理時の動作
図１７から図１９は機器ＣがコントローラＡに接続し、メーカサーバへ登録する処理のシーケンスを示す。機器Ａや機器ＢがコントローラＡに接続し、メーカサーバへ登録する処理や、機器ＣがコントローラＢに接続し、サービスサーバに登録する処理も同様である。
【００９７】
（Ｓ２０１）から（Ｓ２０３）の処理は実施の形態１のＳ１０１からＳ１０３の処理と同様のため、ここでの説明を省略する。
【００９８】
（Ｓ２０４）コントローラＡはコントローラＩＤと公開鍵証明書を機器Ｃへ送信する。
【００９９】
（Ｓ２０５）から（Ｓ２０６）の処理はＳ１０５からＳ１０６の処理と同様のため、ここでの説明を省略する。
【０１００】
（Ｓ２０７）機器ＣとコントローラＡは、鍵交換を行う。ここでは楕円曲線暗号の鍵交換方式のＥＣＤＨ（Ｅｌｌｉｐｔｉｃ  Ｃｕｒｖｅ  Ｄｉｆｆｉｅ−Ｈｅｌｌｍａｎ）を用いる。ＥＣＤＨについては、非特許文献４に記載されているためここでは述べない。
【０１０１】
（Ｓ２０８）機器ＣとコントローラＡは、鍵交換で共有した鍵を共有鍵として設定する。
【０１０２】
（Ｓ２０９）コントローラＡは乱数を生成し、機器Ｃへ送信する。
【０１０３】
（Ｓ２１０）機器ＣはコントローラＡから乱数を受信し、共有鍵で暗号化する。
【０１０４】
（Ｓ２１１）機器Ｃは乱数を生成し、Ｓ２１１で生成した暗号化乱数とともにコントローラＡへ送信する。
【０１０５】
（Ｓ２１２）コントローラＡは暗号化乱数と乱数を受信し、暗号化乱数を共有鍵で復号し、Ｓ２１０で生成した乱数と一致するかの検証を行う。検証が成功しない場合、機器Ｃへエラーを通知して処理を終了する。
【０１０６】
（Ｓ２１３）コントローラＡはＳ２１２での検証が成功した場合、Ｓ２１２で受信した乱数を共有鍵で暗号化し、暗号化乱数を機器Ｃへ送信する。
【０１０７】
（Ｓ２１４）機器Ｃは暗号化乱数を受信し、暗号化乱数を共有鍵で復号し、Ｓ２１１で生成した乱数と一致するかの検証を行う。検証が成功しない場合、コントローラＡへエラーを通知して処理を終了する。
【０１０８】
（Ｓ２１５）機器ＣはＳ２１４で検証が成功した場合、コントローラＡを接続コントローラ管理テーブルに登録する。図２０は、実施の形態２における接続コントローラ管理テーブルである。実施の形態１の接続コントローラ管理テーブルに加え、コントローラと共有した共有鍵から構成される。
【０１０９】
（Ｓ２１６）コントローラＡはコントローラＩＤと証明書ＩＤ、Ｓ２１２で検証が成功した機器の機器ＩＤと証明書ＩＤをメーカサーバに送信し、機器の機器ＩＤと証明書ＩＤを接続機器管理テーブルに登録する。図２１は、実施の形態２における接続機器管理テーブルである。実施の形態１の接続機器管理テーブルに加え、機器と共有した共有鍵から構成される。
【０１１０】
（Ｓ２１７）は実施の形態１のＳ１１４の処理と同様のため、ここでの説明は省略する。
【０１１１】
２．２．２機器からメーカサーバへ機器履歴情報を送信する処理時の動作
図２２に、機器からのメーカサーバへ機器履歴情報を送信するシーケンスを示す。なお、このアップロードは、定期的、あるいは不定期に行われる。
【０１１２】
（Ｓ２２１）機器は蓄積した機器履歴情報を、共有鍵で暗号化し、機器ＩＤとともにコントローラに送信する。
【０１１３】
（Ｓ２２２）コントローラは、機器ＩＤと暗号化された機器履歴情報を受信し、機器ＩＤから共有鍵を検索し、共有鍵で機器履歴情報を復号する。
【０１１４】
（Ｓ２２３）コントローラとメーカサーバはＳＳＬの認証を行い、暗号通信路を確立する。
【０１１５】
（Ｓ２２４）コントローラは、コントローラのＩＤと機器から受信した機器ＩＤと機器履歴情報をメーカサーバへ送信する。
【０１１６】
（Ｓ２２５）メーカサーバは、受信したコントローラのＩＤと機器ＩＤと機器履歴情報を登録する。
【０１１７】
２．３実施の形態２の効果
実施の形態１では、機器の認証時に鍵交換を行い、共有した鍵を用いてチャレンジレスポンス認証を行っている。共有した鍵は秘密鍵と対応する公開鍵のみから生成できるため、公開鍵証明書の公開鍵に対応する秘密鍵を持っていない場合、共有鍵が生成できず、チャレンジレスポンス認証が成功しない。これにより、秘密鍵を用いた署名生成および公開鍵を用いた署名検証を行う認証処理に比べ、認証処理を軽減することが可能となる。また機器の履歴情報を共有鍵によって暗号通信が可能になり、機器の履歴情報の漏洩を防止することができる。
【０１１８】
３．その他変形例
なお、本開示を上記各実施の形態に基づいて説明してきたが、本開示は、上記各実施の形態に限定されないのはもちろんである。以下のような場合も本開示に含まれる。
【０１１９】
（１）上記実施の形態では、コントローラは機器登録処理時にサーバからＣＲＬを取得してもよい。また、機器登録処理時以外でも定期的に取得するとしてもよい。また、ＣＲＬの次回発行日前にサーバから取得するとしてもよい。
【０１２０】
（２）上記実施の形態では、機器はコントローラ経由でサーバと通信し、または機器はコンテンツサーバと通信し、ＣＲＬを取得しているが、これに限定するわけではなく、サーバと接続する携帯端末経由でＣＲＬを取得するとしてもよい。携帯端末と機器間の通信はＮＦＣ（Ｎｅａｒ  ｆｉｅｌｄ  ｃｏｍｍｕｎｉｃａｔｉｏｎ）通信やＢｌｕｅｔｏｏｔｈ（登録商標）通信としてもよい。
【０１２１】
（３）上記実施の形態では、機器がコントローラを不正であると判断した場合、他の機器やコントローラに通知しているが、さらに、通知を受信した機器やコントローラに表示機能がある場合、不正なコントローラを検出した旨の表示画面を出力するとしてもよい。また、表示画面がない場合、エラーコードの表示やランプの点滅をするとしてもよい。
【０１２２】
これにより、不正なコントローラを持つユーザが表示を確認することが可能となり、不正なコントローラを交換することができる。
【０１２３】
（４）上記実施の形態２では、共有鍵を用いたチャレンジレスポンス認証を行っているが、これに限定するわけではなく、ＲＦＣ５１９１に記載されている認証方式を用いて、さらにＥＡＰ−ＰＳＫを用いるとしてもよい。
【０１２４】
（５）上記実施の形態１では、機器登録処理時に暗号通信用の鍵を交換するとしてもよい。鍵交換方式として、ＤＨ（Ｄｉｆｆｉｅ−Ｈｅｌｌｍａｎ）やＥＣＤＨを用いるとしてもよい。
【０１２５】
（６）上記実施の形態では、コントローラは、接続する機器の消費電力量や蓄電池の電力量、太陽光発電の発電量を表示するとしてもよい。
【０１２６】
（７）上記実施の形態では、コントローラは、家庭に設置される分電盤であってもよい。
【０１２７】
（８）上記実施の形態では、コントローラと機器間の通信は、Ｗｉ−Ｆｉ、特定小電力無線、電力線通信、Ｂｌｕｅｔｏｏｔｈ(登録商標)であってもよい。
【０１２８】
（９）上記実施の形態では、ポータルサーバが認証局として、ＣＲＬを発行しているが、これに限定するわけではなく、メーカサーバやサービスサーバ、コンテンツサーバが認証局となり、ＣＲＬを発行するとしてもよい。
【０１２９】
（１０）上記実施の形態では、不正な証明書ＩＤすべてを含んだＣＲＬを発行しているが、これに限定するわけではなく、メーカサーバに製造する機器のみのＣＲＬやサービスサーバが提供するサービスに関連する機器やコントローラのＣＲＬ、コンテンツサーバと接続できる機器のみのＣＲＬを発行するとしてもよい。さらに、メーカサーバの製造する機器の種別や製造年度ごとにＣＲＬを発行するとしてもよい。
【０１３０】
（１１）上記の各装置は、具体的には、マイクロプロセッサ、ＲＯＭ、ＲＡＭ、ハードディスクユニット、ディスプレイユニット、キーボード、マウスなどから構成されるコンピュータシステムである。ＲＡＭまたはハードディスクユニットには、コンピュータプログラムが記録されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１３１】
（１２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記録されている。マイクロプロセッサが、コンピュータプログラムにしたがって動作することにより、システムＬＳＩは、その機能を達成する。
【０１３２】
また、上記の各装置を構成する構成要素の各部は、個別に１チップ化されていても良いし、一部又はすべてを含むように１チップ化されてもよい。
【０１３３】
また、ここでは、システムＬＳＩとしたが、集積度の違いにより、ＩＣ、ＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【０１３４】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１３５】
（１３）上記の各装置を構成する構成要素の一部または全部は、各装置に脱着可能なＩＣカードまたは単体のモジュールから構成されているとしてもよい。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。マイクロプロセッサが、コンピュータプログラムにしたがって動作することにより、ＩＣカードまたはモジュールは、その機能を達成する。このＩＣカードまたはこのモジュールは、耐タンパ性を有するとしてもよい。
【０１３６】
（１４）本開示は、上記に示す方法であるとしてもよい。また、これらの方法をコンピュータにより実現するコンピュータプログラムであるとしてもよいし、コンピュータプログラムからなるデジタル信号であるとしてもよい。
【０１３７】
また、本開示は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしてもよい。また、これらの記録媒体に記録されているデジタル信号であるとしてもよい。
【０１３８】
また、本開示は、コンピュータプログラムまたはデジタル信号を、電気通信回線、無線または有線通信回線、インターネットを代表とするネットワーク、データ放送等を経由して伝送するものとしてもよい。
【０１３９】
また、本開示は、マイクロプロセッサとメモリを備えたコンピュータシステムであって、メモリは、上記コンピュータプログラムを記録しており、マイクロプロセッサは、コンピュータプログラムにしたがって動作するとしてもよい。
【０１４０】
また、プログラムまたはデジタル信号を記録媒体に記録して移送することにより、またはプログラムまたはデジタル信号を、ネットワーク等を経由して移送することにより、独立した他のコンピュータシステムにより実施するとしてもよい。
【０１４１】
（１５）上記実施の形態及び上記変形例をそれぞれ組み合わせるとしてもよい。
【産業上の利用可能性】
【０１４２】
本開示は、機器とコントローラが接続するシステムにおいて、機器が不正なコントローラと接続したとしても、複数のネットワークを経由して、ＣＲＬを取得することで、不正なコントローラを検出することができる。
【符号の説明】
【０１４３】
１０，１１  認証システム
１００ａ，１００ｂ  コントローラ
１０１  機器管理部
１０２  機器情報保持部
１０３  認証処理部
１０４  認証情報保持部
１０５  通信部
２００ａ，２００ｂ，２００ｃ  機器
２０１  機器管理部
２０２  機器履歴保持部
２０３  機器情報保持部
２０４  認証処理部
２０５  認証情報保持部
２０６  通信部
３００ａ  メーカサーバ
３００ｂ  サービスサーバ
３００ｃ  コンテンツサーバ
３０１  機器情報管理部
３０２  機器情報保持部
３０３  ＣＲＬ管理部
３０４  ＣＲＬ保持部
３０５  通信部
４００  ポータルサーバ
４０１  ＣＲＬ管理部
４０２  ＣＲＬ保持部
４０３  暗号処理部
４０４  暗号鍵保持部
【図１】
2015087465.tif 000003
【図２】
2015087465.tif 000004
【図３】
2015087465.tif 000005
【図４】
2015087465.tif 000006
【図５】
2015087465.tif 000007
【図６】
2015087465.tif 000008
【図７】
2015087465.tif 000009
【図８】
2015087465.tif 000010
【図９】
2015087465.tif 000011
【図１０】
2015087465.tif 000012
【図１１】
2015087465.tif 000013
【図１２】
2015087465.tif 000014
【図１３】
2015087465.tif 000015
【図１４】
2015087465.tif 000016
【図１５】
2015087465.tif 000017
【図１６】
2015087465.tif 000018
【図１７】
2015087465.tif 000019
【図１８】
2015087465.tif 000020
【図１９】
2015087465.tif 000021
【図２０】
2015087465.tif 000022
【図２１】
2015087465.tif 000023
【図２２】
2015087465.tif 000024
【国際調査報告】
2015087465.tif 000025
2015087465.tif 000026